(57)【要約】      （修正有）【課題】簡単な構成により、コーナリングにおいて安定したエッジングを実現することのできる滑走装置を提供する。【解決手段】滑走時にバンクさせることにより操舵可能な滑走装置であって、複数通りのバンク角それぞれに対応させて接地面側に形成されている複数のエッジ部２０１〜２０４であって、それぞれのエッジ部が、対応するバンク角度でのバンク時の略鉛直方向軸を、曲率中心軸とする曲率を有するエッジ部分を少なくとも一部に含む。【選択図】図１
2010158272.tif 000002
【特許請求の範囲】
【請求項１】
滑走時にバンクさせることにより操舵可能な滑走装置であって、
複数通りのバンク角それぞれに対応させて接地面側に形成されている複数のエッジ部であって、それぞれのエッジ部が、対応するバンク角度でのバンク時の略鉛直方向軸を曲率中心軸とする曲率を有するエッジ部分を少なくとも一部に含む複数のエッジ部を備えてなる滑走装置。
【請求項２】
請求項１に記載の滑走装置において、
前記複数のエッジ部それぞれの曲率は、対応するバンク角が大きいものほど大きい滑走装置。
【請求項３】
請求項１または請求項２に記載の滑走装置において、
前記複数のエッジ部それぞれの曲率は、進行方向における中央よりも後側の方が大きい滑走装置。
【請求項４】
請求項１乃至請求項３の内いずれか１項に記載の滑走装置において、
前記複数のエッジ部それぞれの曲率は、進行方向における前側端部近傍よりも後側端部近傍の方が大きい滑走装置。
【請求項５】
請求項１乃至請求項４の内いずれか１項に記載の滑走装置において、
前記複数のエッジ部の内の少なくとも一部は、進行方向と直交する平面上において、前記接地面に対する法線方向よりも中央寄りに傾斜している滑走装置。
【請求項６】
請求項１乃至請求項５の内いずれか１項に記載の滑走装置において、
前記複数のエッジ部間の窪みの深さは、進行方向と直交する方向における中央よりも外側の方が深い滑走装置。
【請求項７】
請求項１乃至請求項６の内いずれか１項に記載の滑走装置において、
前記接地面上の進行方向と直交する方向における中央位置に形成され、前記滑走装置の直進方向に延びる溝部を更に備える滑走装置。
【請求項８】
請求項１乃至請求項７の内いずれか１項に記載の滑走装置において、
前記複数のエッジ部が形成される接地面は、前記滑走装置本体から着脱可能である滑走装置。
【請求項９】
請求項１乃至請求項８の内いずれか１項に記載の滑走装置において、
前記滑走装置の操舵時におけるニーグリップを可能とする突出部が形成された座部を更に備える滑走装置。
【請求項１０】
請求項１乃至請求項９の内いずれか１項に記載の滑走装置において、
任意の角度に調整可能なハンドルを更に備える滑走装置。
【発明の詳細な説明】
【技術分野】
【０００１】
本発明は、雪上、氷上および水上等の被滑走面上を滑走する滑走装置に関し、特に、滑走時における操舵性を向上させる技術に関するものである。
【背景技術】
【０００２】
従来、雪上を滑走するソリ等の滑走装置が知られている。
【０００３】
このような滑走装置に関して、雪上での滑走時における操舵性を高める観点から、自転車のようにハンドルによる舵取りが可能なソリも提供されている（例えば、特許文献１を参照。）。
【０００４】
しかしながら、上記のようにハンドル操作による操舵を行うソリでは、操舵に用いられるのはハンドル操作により回転可能な舵のみである。
【０００５】
よって、舵の雪面との接触面積は、ハンドル操作可能とするためにあまり大きくはできず、急カーブでのコーナリングには不向きであった。また、操舵のための可動部を設ける必要があり、構成を複雑化させる、装置全体としての剛性を低下させる、といった問題があった。
また、雪面に当接する底面に互いに曲率が異なる複数のエッジを形成したソリも開示されている（例えば、特許文献２を参照。）。
【先行技術文献】
【特許文献】
【０００６】
【特許文献１】特開２００３−６２１４６号公報
【特許文献２】特開２００２−１７３０８４号公報
【発明の開示】
【発明が解決しようとする課題】
【０００７】
しかしながら、上記複数のエッジを設ける構成では、コーナリング時にエッジが雪面に接触する面積はエッジ全体のごく一部であり、十分なエッジングを行うことができない。
【０００８】
本発明は上述した問題点を解決するためになされたものであり、簡単な構成により、コーナリングにおいて安定したエッジングを実現することのできる滑走装置を提供することを目的とする。
【課題を解決するための手段】
【０００９】
上述した課題を解決するため、本発明の一態様に係る滑走装置は、滑走時にバンクさせることにより操舵可能な滑走装置であって、複数通りのバンク角それぞれに対応させて接地面側に形成されている複数のエッジ部であって、それぞれのエッジ部が、対応するバンク角度でのバンク時の略鉛直方向軸を曲率中心軸とする曲率を有するエッジ部分を少なくとも一部に含む複数のエッジ部を備えてなることを特徴とするものである。
【００１０】
また、本発明に係る滑走装置は、前記複数のエッジ部それぞれの曲率は、対応するバンク角が大きいものほど大きいことを特徴とするものである。
【００１１】
また、本発明に係る滑走装置は、前記複数のエッジ部それぞれの曲率は、進行方向における中央よりも後側の方が大きいことを特徴とするものである。
【００１２】
また、本発明に係る滑走装置は、前記複数のエッジ部それぞれの曲率は、進行方向における前側端部近傍よりも後側端部近傍の方が大きいことを特徴とするものである。
【００１３】
また、本発明に係る滑走装置は、前記複数のエッジ部の内の少なくとも一部は、進行方向と直交する平面上において、前記接地面に対する法線方向よりも中央寄りに傾斜していることを特徴とするものである。
【００１４】
また、本発明に係る滑走装置は、前記複数のエッジ部間の窪みの深さは、進行方向と直交する方向における中央よりも外側の方が深いことを特徴とするものである。
【００１５】
また、本発明に係る滑走装置は、前記接地面上の進行方向と直交する方向における中央位置に形成され、前記滑走装置の直進方向に延びる溝部を更に備えることを特徴とするものである。
【００１６】
また、本発明に係る滑走装置は、前記複数のエッジ部が形成される接地面は、前記滑走装置本体から着脱可能であることを特徴とするものである。
【００１７】
また、本発明に係る滑走装置は、前記滑走装置の操舵時におけるニーグリップを可能とする突出部が形成された座部を更に備えることを特徴とするものである。
【００１８】
また、本発明に係る滑走装置は、任意の角度に調整可能なハンドルを更に備えることを特徴とするものである。
【発明の効果】
【００１９】
以上に詳述したように本発明によれば、簡単な構成により、コーナリングにおいて安定したエッジングを実現することのできる滑走装置を提供することができる。
【発明を実施するための最良の形態】
【００２０】
以下、本発明の実施の形態について図面を参照しつつ説明する。なお、本発明に係る滑走装置は、雪上、氷上および水上等の様々な被滑走面上を滑走可能であるが、ここでは説明の便宜上、雪上を滑走する場合を例に挙げて説明する。
【００２１】
（第１の実施の形態）
図１は、本発明の第１の実施の形態による滑走装置の全体構成について説明するための概観斜視図である。図２は、本発明の第１の実施の形態による滑走装置の全体構成について説明するための側面図である。図３は、本発明の第１の実施の形態による滑走装置の全体構成について説明するための正面図である。図４は、本発明の第１の実施の形態による滑走装置の全体構成について説明するための背面図である。図５は、本発明の第１の実施の形態による滑走装置の全体構成について説明するための平面図である。図６は、本発明の第１の実施の形態による滑走装置の全体構成について説明するための底面図である。図７は、本発明の第１の実施の形態による滑走装置の底面形状を示すための底面斜視図である。
【００２２】
本実施の形態による滑走装置は、滑走時に装置自体をバンクさせることにより、進行方向(例えば、図１を参照。)の操舵を実現する。
【００２３】
まず、本実施の形態による滑走装置の大まかな構成について説明する。
【００２４】
本実施の形態による滑走装置は、当該滑走装置に乗るユーザが座る座部や操舵時に握るためのハンドル部等を有する上面部１と、被滑走面である雪面に接する底面部２と、を備えている。
【００２５】
以下、上面部１および底面部２の具体的構成について説明する。
【００２６】
まず、底面部２について説明する。
底面部２は、複数通りのバンク角（例えば、鉛直方向に対して、２０度、３５度、５０度）それぞれに対応させて接地面側に形成されている複数のエッジ部２０１〜２０２を有している。
【００２７】
これら複数のエッジ部２０１〜２０２は、それぞれが、対応するバンク角度（例えば、鉛直方向に対して、２０度、３５度、５０度）でのバンク時の略鉛直方向軸を曲率中心軸とする曲率を有するエッジ部分を少なくとも一部に含んでいる。なお、ここでのエッジ部２０１は、直進時のときのバンク角、すなわち、鉛直方向に対する傾斜角度が０度のときに対応している。よって、エッジ部２０１は図６に示すｘ−ｙ平面状において直線状のエッジ形状であり、以下、エッジ部の曲率について述べる場合、エッジ部２０２〜２０４に関するものであるとする。なお、本実施の形態のようにエッジ部２０１を設けることにより、滑走装置が雪面上にユーザが手を触れていない状態で置いてある場合でも、直立した状態のままでいることはなく、エッジ部２０１を支点として進行方向右側もしくは進行方向左側に倒れこむことになる。これにより、例えば雪の斜面上に滑走装置を載置した場合に、滑走装置が勝手に自走してしまうといったことがない。
【００２８】
図８(ａ)〜(ｃ)および図９(ａ)〜(ｃ)は、コーナリング時のバンク角に対応する複数のエッジ部２０２〜２０４それぞれによるエッジング時のコーナリングの回転半径(Ｒ２〜Ｒ４)と、そのコーナリング時における回転中心軸(Ａ２〜Ａ４)との関係を示す図である。図８および図９に示すように、複数のエッジ部２０２〜２０４のエッジの形状は、それぞれのエッジによるコーナリング時の理想とする回転半径での軌跡と略一致するように形成されている。
【００２９】
このような構成とすることにより、バンクさせた状態において雪面に接するエッジ部の作用により進行方向の調整を行うことができる。また、バンク時において、そのバンク角(例えば、２０度)に対応する理想的な回転半径(例えば、Ｒ２)での進路変更を可能とする曲率をもつエッジ部(例えば、エッジ部２０２)を、複数配列することにより、進路変更時に雪面から受ける抵抗を最小限に抑えることができる。また、「バンク角」と、「そのバンク角でのバンク姿勢時に最適な回転半径でのコーナリングを行い易いエッジ」とが対応付けられているため、初心者でも扱いやすいという利点がある。
【００３０】
また、複数のエッジ部２０２〜２０４それぞれの曲率は、対応するバンク角が大きいものほど大きくなるように設定されている。
【００３１】
自転車や自動二輪車等において、急激な進路変更を行う場合には、カーブ外側へ向けて働く遠心力に対応するために、カーブ内側に向けてバンクさせる。当然、急激なカーブを描いて進路変更を行う場合には、大きな遠心力がユーザに加わるため、その分バンク角を大きくとる必要がある。よって、本実施の形態による滑走装置では、上記点を考慮し、各エッジ部の曲率が、対応するバンク角が大きいものほど大きくなるように設定されている。
【００３２】
また、複数のエッジ部２０２〜２０４それぞれの曲率は、その少なくとも一部が、進行方向における中央位置よりも後側の方が大きくなるように設定されている。
【００３３】
このようにすることにより、平常滑走時（いわゆる、スラローム滑走時）には、エッジ部の比較的曲率がゆるやかな部位を用いてコーナリングを行う。一方、スキーにおける「ウェーデルン」のような鋭利な（クイックな）エッジングを行いたい場合には、滑走装置自体を後傾姿勢にし、エッジ部の進行方向における中央位置よりも後ろ側の曲率の大きい部位を用いる。なお、このように曲率の大きい部位を用いることにより、効果的なブレーキングを実現することもできる。また、通常のスラローム滑走時とは異なり、鋭利なコーナリングを行う際には、エッジ部と雪面とのズレ（横滑り）が生じることが考えられる。よって、鋭利なコーナリングの際に使用されることが想定される進行方向中央よりも後ろ側のエッジ部分を中央位置よりも大きい曲率としておくことにより、例え横滑りが生じたとしても、結果として希望する曲率でのコーナリングを実現することもできる。
【００３４】
また、複数のエッジ部２０２〜２０４それぞれの曲率は、進行方向における前側端部近傍よりも後側端部近傍の方が大きいことが望ましい。
【００３５】
一般に、ソリで雪面上を滑走する場合、特にコーナリング時には、後傾姿勢となることが多い。よって、進行方向におけるエッジの後側端部近傍の曲率を大きくすることにより、このような後傾姿勢でのコーナリング時でも効果的なエッジングを実現することができる。
【００３６】
さらに、複数のエッジ部２０２〜２０４の内の少なくとも一部は、進行方向と直交する平面上において、底面部２の滑走面に対する法線方向よりも中央寄りに傾斜している。
【００３７】
これによれば、バンク時において、エッジ部を雪面に対していわゆる「カウンタ方向」に当接させることができ、雪面をより安定的にグリップすることができる。
【００３８】
複数のエッジ部間の窪みの深さは、進行方向と直交する方向における中央よりも外側の方が深くなるように設定されていることが好ましい。すなわち、例えば、エッジ部２０２とエッジ部２０３との間の窪みの深さよりも、エッジ部２０３とエッジ部２０４との間の窪みの深さの方が深くなるように設定されていることが望ましい。
【００３９】
一般に、進路変更を行う場合、急激な方向転換を行うときほど、カーブの外側に向かおうとする力(遠心力)は大きくなる。これは、本実施の形態による滑走装置では、バンク角が大きい場合ほど、遠心力が大きくなることを意味する。よって、接地面における、バンク角が大きいときに雪面に接する部分ほど、エッジ部間の窪みを深くして雪面に食い込み易い形状にし、雪面へのグリップ力を向上させることが望ましい。
【００４０】
次に、上面部１の構成の詳細について説明する。上面部１は、収納部１０１、座部１０２およびハンドル部１０３を備えている。
【００４１】
収納部１０１は、扉によって開閉可能な収納空間である。この収納部１０１は、後述の突出部１０２ａのように突出させるべき部分の内部に収納空間が位置するように設けられており、スペース効率に配慮されている。また、収納部１０１は、座部１０２に座った状態のユーザにとって開閉し易い位置に配置されており、操作性が良いという効果を奏する。
【００４２】
座部２は、本実施の形態による滑走装置に乗るユーザが座るシートとしての役割を有している。また、座部２には、本実施の形態による滑走装置での操舵時におけるニーグリップを可能とするための突出部１０２ａが形成されている。
【００４３】
これにより、コーナリング時に滑走装置をバンクさせる際にニーグリップによって滑走装置本体を安定的にホールドし、ユーザの姿勢の安定性や走行安定性を維持することができる。また、ハンドルや足先のみで操作する場合に比べ、雪面等の滑走対象面の凹凸による衝撃などにも対応しやすいというメリットを有する。
【００４４】
なお、本実施の形態による滑走装置は、上面部１と、複数のエッジ部が形成される底面部２とは別部材となっており、互いに分離(着脱)可能となっている。なお、上面部１と底面部２との接合は、例えば接合部Ｐにてボルトおよびナット等の公知の接合手段を用いて用意に実現することができる。
【００４５】
これにより、例えば、様々な雪面のコンディション（パウダースノー、アイスバーンなど）それぞれに適切なエッジ部が形成された設置面を複数種類用意しておき、雪面のコンディションに合わせて設置面を交換して使い分けるといったことが可能になる。
【００４６】
また、本実施の形態による滑走装置では、ハンドル部１０３は上面部１から取り外し可能となっている。ハンドル部１０３は、滑走装置の輸送時における省スペース化や破損の防止等の観点から、収納部１０１に収納可能となっている。図１０および図１１は、ハンドル部１０３を収納部１０１から取り出して上面部１に装着する様子を示すイメージ図である。
【００４７】
なお、ハンドル部１０３は、上面部１に対して任意の位置や角度で取り付け可能となっていることが好ましい。また、ハンドル部１０３が、上面部１に対して装着後にも任意に角度調整が可能であることが望ましい。
【００４８】
このような構成とすることにより、ユーザは、自分の体格や好みに合わせてハンドルの角度を調整することができ、滑走装置の操作性（取り回しのし易さ、バンクのさせ易さ等）の向上に寄与することができる。
【００４９】
図１２は、本発明の第１の実施の形態による滑走装置にユーザが乗った状態を示す側面図である。図１３は、本発明の第１の実施の形態による滑走装置にユーザが乗った状態を示す正面図である。図１４は、本発明の第１の実施の形態による滑走装置にユーザが乗った状態を示す平面図である。これら図１２〜図１４からも、本実施の形態による滑走装置によれば、バンク時に、そのバンク角でのコーナリングに最適な曲率のエッジによるエッジングが可能となることが分かる。
【００５０】
（第２の実施の形態）
次に、本発明の第２の実施の形態について説明する。
【００５１】
本発明の第２の実施の形態は、上述の第１の実施の形態の変形例である。以下、本実施の形態において、第１の実施の形態にてすでに述べた構成要素と同様な機能を有する部分には同一符号を付し、説明は割愛する。
【００５２】
本実施の形態による滑走装置は、底面部に形成されているエッジ部の形状が、上述の第１の実施の形態とは異なっている。
【００５３】
具体的に、本発明の第２の実施の形態における滑走装置の底面部２’には、第１の実施の形態におけるエッジ部２０１は形成されておらず、進行方向と直交する方向における中央位置に形成され、滑走装置の直進方向に延びる溝部２０１’が形成されている。図１５は、本発明の第２の実施の形態における滑走装置の底面形状について説明するための正面図である。図１６は、本発明の第２の実施の形態による滑走装置の底面形状を示すための底面斜視図である。
【００５４】
これによれば、滑走装置が直進する際（すなわち、バンクしていない状態）や停止している状態において、滑走装置を直立させた姿勢を維持し易くなり、操作性の向上に寄与することができる。また、ユーザが支えていない状態でも自立させ易いという効果も奏する。
【００５５】
なお、上述の各実施の形態による滑走装置における底面部に形成されるエッジ部の数は、一例であり、必要に応じて増減させることができることは言うまでもない。
【００５６】
本発明を特定の態様により詳細に説明したが、本発明の精神および範囲を逸脱しないかぎり、様々な変更および改質がなされ得ることは、当業者には自明であろう。
【図面の簡単な説明】
【００５７】
【図１】本発明の第１の実施の形態による滑走装置の全体構成について説明するための概観斜視図である。
【図２】本発明の第１の実施の形態による滑走装置の全体構成について説明するための側面図である。
【図３】本発明の第１の実施の形態による滑走装置の全体構成について説明するための正面図である。
【図４】本発明の第１の実施の形態による滑走装置の全体構成について説明するための背面図である。
【図５】本発明の第１の実施の形態による滑走装置の全体構成について説明するための平面図である。
【図６】本発明の第１の実施の形態による滑走装置の全体構成について説明するための底面図である。
【図７】本発明の第１の実施の形態による滑走装置の底面形状を示すための底面斜視図である。
【図８】コーナリング時のバンク角に対応する複数のエッジ部それぞれによるエッジング時のコーナリングの回転半径と、そのコーナリング時における回転中心軸との関係を示す図である。
【図９】コーナリング時のバンク角に対応する複数のエッジ部それぞれによるエッジング時のコーナリングの回転半径と、そのコーナリング時における回転中心軸との関係を示す図である。
【図１０】ハンドル部１０３を収納部１０１から取り出して上面部１に装着する様子を示すイメージ図である。
【図１１】ハンドル部１０３を収納部１０１から取り出して上面部１に装着する様子を示すイメージ図である。
【図１２】本発明の第１の実施の形態による滑走装置にユーザが乗った状態を示す側面図である。
【図１３】本発明の第１の実施の形態による滑走装置にユーザが乗った状態を示す正面図である。
【図１４】本発明の第１の実施の形態による滑走装置にユーザが乗った状態を示す平面図である。
【図１５】本発明の第２の実施の形態における滑走装置の底面形状について説明するための正面図である。
【図１６】本発明の第２の実施の形態による滑走装置の底面形状を示すための底面斜視図である。
【符号の説明】
【００５８】
１  上面部、１０１  収納部、１０２  座部、１０２ａ  突出部、１０３  ハンドル部、２，２’  底面部、２０１〜２０４  複数のエッジ部、２０１’  溝部。
【図１】
2010158272.tif 000003
【図２】
2010158272.tif 000004
【図３】
2010158272.tif 000005
【図４】
2010158272.tif 000006
【図５】
2010158272.tif 000007
【図６】
2010158272.tif 000008
【図７】
2010158272.tif 000009
【図８】
2010158272.tif 000010
【図９】
2010158272.tif 000011
【図１０】
2010158272.tif 000012
【図１１】
2010158272.tif 000013
【図１２】
2010158272.tif 000014
【図１３】
2010158272.tif 000015
【図１４】
2010158272.tif 000016
【図１５】
2010158272.tif 000017
【図１６】
2010158272.tif 000018
【手続補正書】
【提出日】平成21年9月1日(2009.9.1)
【手続補正１】
【補正対象書類名】特許請求の範囲
【補正対象項目名】全文
【補正方法】変更
【補正の内容】
【特許請求の範囲】
【請求項１】
滑走時にバンクさせることにより操舵可能な滑走装置であって、
複数通りのバンク角それぞれに対応させて接地面側に形成されている複数のエッジ部であって、それぞれのエッジ部が、対応するバンク角度でバンクしてコーナリングしている時の回転中心軸となる略鉛直方向軸を曲率中心軸とする曲率を有するエッジ部分を少なくとも一部に含む複数のエッジ部を備え、
前記複数のエッジ部それぞれの曲率は、対応するバンク角が大きいものほど大きく且つ進行方向における中央よりも後側の方が大きい滑走装置。
【請求項２】
請求項１に記載の滑走装置において、
前記複数のエッジ部それぞれの曲率は、進行方向における前側端部近傍よりも後側端部近傍の方が大きい滑走装置。
【請求項３】
請求項１または請求項２に記載の滑走装置において、
前記複数のエッジ部間の窪みの深さは、進行方向と直交する方向における中央よりも外側の方が深い滑走装置。
【請求項４】
請求項１乃至請求項３の内いずれか１項に記載の滑走装置において、
前記接地面上の進行方向と直交する方向における中央位置に形成され、前記滑走装置の直進方向に延びる溝部を更に備える滑走装置。
【請求項５】
請求項１乃至請求項４の内いずれか１項に記載の滑走装置において、
前記複数のエッジ部が形成される接地面は、前記滑走装置本体から着脱可能である滑走装置。
【請求項６】
請求項１乃至請求項５の内いずれか１項に記載の滑走装置において、
前記滑走装置の操舵時におけるニーグリップを可能とする突出部が形成された座部を更に備える滑走装置。
【請求項７】
請求項１乃至請求項６の内いずれか１項に記載の滑走装置において、
任意の角度に調整可能なハンドルを更に備える滑走装置。
【手続補正書】
【提出日】平成21年10月30日(2009.10.30)
【手続補正１】
【補正対象書類名】特許請求の範囲
【補正対象項目名】全文
【補正方法】変更
【補正の内容】
【特許請求の範囲】
【請求項１】
滑走時にバンクさせることにより操舵可能な滑走装置であって、
複数通りのバンク角それぞれに対応させて接地面側に形成されている複数のエッジ部であって、それぞれのエッジ部が、対応するバンク角度でバンクしてコーナリングしている時の回転中心軸となる略鉛直方向軸を曲率中心軸とする曲率を有するエッジ部分を少なくとも一部に含む複数のエッジ部を備え、
前記複数のエッジ部それぞれの曲率は、進行方向における中央よりも後側の方が大きく、且つ進行方向における前側端部近傍よりも後側端部近傍の方が大きい滑走装置。
【請求項２】
請求項１に記載の滑走装置において、
前記複数のエッジ部それぞれの曲率は、対応するバンク角が大きいものほど大きい滑走装置。
【請求項３】
請求項１または請求項２に記載の滑走装置において、
前記複数のエッジ部間の窪みの深さは、進行方向と直交する方向における中央よりも外側の方が深い滑走装置。
【請求項４】
請求項１乃至請求項３の内いずれか１項に記載の滑走装置において、
前記接地面上の進行方向と直交する方向における中央位置に形成され、前記滑走装置の直進方向に延びる溝部を更に備える滑走装置。
【請求項５】
請求項１乃至請求項４の内いずれか１項に記載の滑走装置において、
前記複数のエッジ部が形成される接地面は、前記滑走装置本体から着脱可能である滑走装置。
【請求項６】
請求項１乃至請求項５の内いずれか１項に記載の滑走装置において、
前記滑走装置の操舵時におけるニーグリップを可能とする突出部が形成された座部を更に備える滑走装置。
【請求項７】
請求項１乃至請求項６の内いずれか１項に記載の滑走装置において、
任意の角度に調整可能なハンドルを更に備える滑走装置。
【手続補正書】
【提出日】平成21年12月21日(2009.12.21)
【手続補正１】
【補正対象書類名】特許請求の範囲
【補正対象項目名】全文
【補正方法】変更
【補正の内容】
【特許請求の範囲】
【請求項１】
滑走時にバンクさせることにより操舵可能な滑走装置であって、
複数通りのバンク角それぞれに対応させて接地面側に形成されている複数のエッジ部であって、それぞれのエッジ部が、対応するバンク角度でバンクしてコーナリングしている時の回転中心軸となる略鉛直方向軸を曲率中心軸とする曲率を有するエッジ部分を少なくとも一部に含む複数のエッジ部を備え、
前記複数のエッジ部それぞれの曲率は、対応するバンク角が大きいものほど大きく且つ進行方向における中央よりも後側の方が大きく、且つ前記複数のエッジ部間の窪みの深さは、進行方向と直交する方向における中央よりも外側の方が深い滑走装置。
【請求項２】
請求項１に記載の滑走装置において、
前記複数のエッジ部それぞれの曲率は、進行方向における前側端部近傍よりも後側端部近傍の方が大きい滑走装置。
【請求項３】
請求項１または請求項２の内いずれか１項に記載の滑走装置において、
前記接地面上の進行方向と直交する方向における中央位置に形成され、前記滑走装置の直進方向に延びる溝部を更に備える滑走装置。
【請求項４】
請求項１乃至請求項３の内いずれか１項に記載の滑走装置において、
前記複数のエッジ部が形成される接地面は、前記滑走装置本体から着脱可能である滑走装置。
【請求項５】
請求項１乃至請求項４の内いずれか１項に記載の滑走装置において、
前記滑走装置の操舵時におけるニーグリップを可能とする突出部が形成された座部を更に備える滑走装置。
【請求項６】
請求項１乃至請求項５の内いずれか１項に記載の滑走装置において、
任意の角度に調整可能なハンドルを更に備える滑走装置。